(57)【特許請求の範囲】
【請求項１】
平鋼製品（３）の熱処理のために連続加熱炉において該平鋼製品（３）を窒化する方法であって、
前記連続加熱炉がノズル装置（１０）を有し、
該ノズル装置（１０）が、外側チューブ（２）及び内側チューブ（１）を備え、
該内側チューブ（１）が、前記外側チューブ（２）の内部に配置され、
前記内側チューブ（１）が、当該ノズル装置（１０）を通って流れるガスを前記外側チューブ（２）に供給するための一次開口（１１）を備え、
前記外側チューブ（２）が、当該ノズル装置（１０）から前記平鋼製品（３）の方向に流出する前記ガスのための二次開口（１２）を備え、
前記一次開口（１１）及び前記二次開口（１２）が、前記ガスの流れる方向に沿って互いにずらされており、
当該ノズル装置（１０）が、追加の外側チューブ（２'）及び追加の内側チューブ（１'）を備え、
該追加の内側チューブ（１'）が前記追加の外側チューブ（２'）の内部に配置され、
前記追加の内側チューブ（１'）が、当該ノズル装置（１０）を通って流れる前記ガスを前記追加の外側チューブ（２'）に供給するための追加の一次開口（１１'）を備え、
前記追加の外側チューブ（２'）が、当該ノズル装置（１０）から前記平鋼製品（３）の方向に流出する前記ガスのための追加の二次開口（１２'）を備え、
前記追加の一次開口（１１'）及び前記追加の二次開口（１２'）が、前記ガスの流れる方向に沿って互いにずらされている、方法。
【請求項２】
前記一次開口（１１）及び前記二次開口（１２）が、前記ガスの流れる方向に沿って本質的に９０°〜１８０°だけ互いにずらされる、請求項１に記載の方法。
【請求項３】
前記一次開口（１１）及び／又は前記二次開口（１２）が、前記ガスの流れ方向（５）を方向付けるためのガス誘導システム（５）を備える、請求項１又は請求項２に記載の方法。
【請求項４】
複数の一次開口（１１）及び／又は複数の二次開口（１２）を備える、請求項１から請求項３のいずれかに記載の方法。
【請求項５】
前記一次開口（１１）が、前記二次開口（１２）の領域に配置され、及び／又は、
前記内側チューブ（１）及び前記外側チューブ（２）が同軸に配置される、請求項１から請求項４のいずれかに記載の方法。
【請求項６】
前記二次開口（１２）が、前記平鋼製品（３）を含む帯（３３）に向けられ、前記二次開口（１２）が、２５ｃｍ未満、好ましくは１５ｃｍ未満、特に好ましくは１０ｃｍ未満だけ前記帯（３３）から離間される、請求項１から請求項５のいずれかに記載の方法。
【請求項７】
前記二次開口（１２）が、本質的に前記帯（３３）の幅にわたって延在し、前記帯（３３）の前記幅が、前記帯（３３）の進行方向に対して本質的に垂直に沿って延びる、請求項６に記載の方法。
【請求項８】
当該ノズル装置（１０）を通って流れる前記ガスが、アンモニア並びに可能ならば窒素及び／又は不活性ガスを含む、請求項１から請求項７のいずれかに記載の方法。
【請求項９】
当該ノズル装置（１０）が、アンモニア、窒素、及び／又は不活性ガスを混合するための固定されたミキサ（１８）を備え、配管システム（１４）が、前方の前記内側チューブ（１）及び前記追加の内側チューブ（１'）に向けて前記ガスを誘導する、請求項１から請求項８のいずれかに記載の方法。
【請求項１０】
前記配管システム（１４）が、前記固定されたミキサの下流に同一に又は対称に配置された複数の管路を含む、請求項９に記載の方法。
【請求項１１】
前記二次開口（１２）を通って出る前記ガスが、前記平鋼製品（３）の第１の面を窒化し、前記追加の二次開口（１２'）から流出する前記ガスが、前記平鋼製品（３）の第２の面を窒化する、請求項１から請求項１０のいずれかに記載の方法。
【請求項１２】
当該ノズル装置（１０）が、アンモニア、窒素、及び／又は不活性ガスを前記固定されたミキサ（１８）に供給するための供給管システム（１３）を備え、
前記供給管システム（１３）が、
前記個々のガス、及び／又は、
アンモニア、窒素、及び／又は前記不活性ガスから構成されるガス混合物の体積流量を測定及び／又は制御するためのそれぞれの手段（１６、１７）を備える、請求項９に記載の方法。
【請求項１３】
当該ノズル装置（１０）が、前記平鋼製品（３）の熱処理のための連続加熱炉に配置される、請求項１から請求項１２のいずれかに記載の方法。
【発明の詳細な説明】
【技術分野】
【０００１】
本発明は、平鋼製品を処理するためのノズル装置および方法に関する。
【背景技術】
【０００２】
このようなノズル装置は、平鋼製品に可能な限り接近してガスまたはガス混合物を供給し、これにより、平鋼製品に供給されるガスまたはガス混合物が、具体的には、平鋼製品（特に、その表面）を処理する（例えば、窒化また炭化する）ようにするために用意される。平鋼製品は、一般的には、熱処理目的で連続加熱炉内を搬送される帯の形態をとる。処理（例えば、窒化または炭化）は、好適には、この工程において前記平鋼製品の膨張能力に悪影響を及ぼすことなく、最終的に連続加熱炉から出る平鋼製品の強度の向上を可能にする。
【０００３】
表面処理によってもたらされる平鋼製品の品質の改善は、ここでは、ノズル装置を通るガスの供給量およびガスの組成に決定的に依存する。決定的な要因は、ここでは、ガスまたはガス混合物によって可能な限り均一に平鋼製品を「ブラスト」するノズル装置の能力および表面処理（例えば、窒化）に関与する、平鋼製品の表面に到達するガスまたはガス混合物の割合の大きさである。ノズル装置が、出口開口を有するチューブであって、その端部からガスまたはガス混合物が流出するチューブを備えるのが通常の状況である。チューブの一方の端部への供給は、最終的に、出口開口に沿って望ましくない流れプロファイルの勾配をもたらす。
【０００４】
平鋼製品に接触するガスまたはガス混合物の流れプロファイルを均一化するための成功している手段が、異なる寸法の大きさの開口を有する開口の配置の形態で従来技術の独国特許出願公開第１０２０１１０５６８２３号明細書に開示されている。開口の個々の大きさは、ここでは、出口領域における流れ方向に沿った潜在的な圧力降下を抑制するように構成される。
【先行技術文献】
【特許文献】
【０００５】
【特許文献１】独国特許出願公開第１０２０１１０５６８２３号明細書
【発明の概要】
【０００６】
本発明の目的は、平鋼製品の表面処理用の既存のノズル装置のさらなる改善をもたらすことである。ここでは、平鋼製品に空間的に均一に接触するガスの流れまたはガス混合物の流れを実現し、これにより、最終的に生産される平鋼製品の品質を向上させることが特に望ましい。
【０００７】
本発明の目的は、平鋼製品を処理するためのノズル装置であって、該ノズル装置が、外側チューブおよび内側チューブを備え、該内側チューブが、外側チューブ内に配置され、内側チューブが、ノズル装置を通って流れるガスを外側チューブに供給するための一次開口を備え、外側チューブが、ノズル装置から平鋼製品の方向に流出するガスのための二次開口を備え、一次開口および二次開口が、ガスの流れる方向に沿って互いにずらされるノズル装置によって達成される。
【０００８】
従来技術に対して、二次開口に対する一次開口のずらした配置は、空間的に均一に二次開口から流出して、平鋼製品を可能な限り均一に、好ましくはその全幅にわたって「ブラスト」するガスの流れを実現する。選択されたジオメトリにより、ガスまたはガス混合物がノズル装置におけるその滞留時間にわたって一様に流れることがもたらされるという事実がここでは特に利用される。そうでなければ（内側チューブおよび外側チューブを有する設計でない場合）、望ましくない勾配のある流速プロファイルが、ガスがノズル装置の一方の端部に供給されることに起因して出口開口に沿って形成される。加えて、従来技術に係るノズル装置の流出挙動は、ガスまたはガス混合物の異なる温度によって影響され、これにより、異なる流速が、出口開口に沿って発生する。本発明に係るノズル装置は、対照的に、出口開口の機能を果たす二次開口に沿って均一な流れプロファイルを実現する。
【０００９】
ガスの流れる方向（ｄｉｒｅｃｔｉｏｎ  ｏｆ  ｃｉｒｃｕｌａｔｉｏｎ）は、ここでは、本質的に内側チューブまたは外側チューブの外周によって決定される。詳細には、外側チューブまたは内側チューブの外周は、長手方向に対して垂直に延びる断面平面によって決定され、長手方向は、本質的に内側チューブおよび外側チューブの全体的な前進（ｇｅｎｅｒａｌ  ｐｒｏｇｒｅｓｓｉｏｎ）によって規定される。詳細には、ノズル装置を通って流れるガスまたはガス混合物の流れ方向（本質的に一次開口までの）は、長手方向と平行に延び、次に、例えば約９０°だけ方向転換される。一次開口および二次開口は、好ましくは、出口面であって、これを通って、ガスまたはガス混合物が、内側チューブから外側チューブに供給され、外側チューブから流出するときに案内される出口面を有する。内側チューブの出口面は、好ましくは、外側チューブよりも小さい。内側チューブの出口面が円形構成であり、外側チューブの出口開口がスリット状構成であることも実現される。詳細には、外側チューブは、８ｍｍよりも小さい、好ましくは６ｍｍよりも小さい、特に好ましくは４ｍｍよりも小さいスリット幅を有するスリットを有する。
【００１０】
本発明の好適な構成および開発は、図面を参照して従属請求項および説明から知られ得る。
【００１１】
さらなる実施形態において、一次開口および二次ノズル開口が、ガスの流れる方向に沿って本質的に９０°〜１８０°だけ互いにずらされることが実現される。このジオメトリ構成は、二次開口を通って出るガスの流速の特に均一なプロファイルの実現を可能にする。
【００１２】
さらなる実施形態において、一次開口および／または二次開口が、ガスの流れ方向を方向付けるためのガス誘導システムを備えることが実現される。ガス誘導システムは、好ましくは、二次開口の一部であり、嘴状の構成を有し、ガスの流れの方向に向かって寄り集まる、出口スリットを形成する延在部を備える。このことは、ガスの流れが、具体的には帯の領域に向けられ得るまたは集中され得ることを意味する。
【００１３】
さらなる実施形態において、ノズル装置が、複数の一次開口および／または複数の二次開口を備えることが実現される。ノズル装置は、好ましくは、複数の一次開口であって、内側チューブの互いに反対側の面に配置され、いずれの場合も流通の方向で見た場合に二次開口に対して例えば９０°だけずらされる複数の一次開口を備える。一次開口（二次開口と平行に延在する領域内の）が、互いに規則正しく、好ましくは等間隔に配置されるのが好ましい状況である。詳細には、一次開口は、二次開口に対して適切な位置に配置される。例えば、一次開口は、内側チューブの第１の中心点に関して対称に分布され、前記第１の中心点は、二次開口の第２の中心点と同じ、チューブの長手方向範囲に対して垂直に延びる平面に配置される。好ましくは、二次開口よりも多い一次開口が存在する。詳細には、常に内側チューブの長手方向範囲に沿って対をなして配置され、かつ互いに反対側に配置される偶数の一次開口、好ましくは、４つの一次開口が存在する（その場合、それらはそれぞれ、いずれの場合も流通の方向で見た場合に二次開口に対して例えば９０°だけずらされる）。二次開口によって決定される領域内に様々な一次開口を集める設計は、好適には、二次開口に沿った流速プロファイルをさらに改善し得る。
【００１４】
さらなる実施形態において、一次開口が二次開口の領域に配置されることおよび／または内側チューブおよび外側チューブが同軸に配置されることが実現される。このようにして、好適には、ガスまたはガス混合物の可能な限りすべての割合が、ノズル装置において同じ経路を含むことが保証され得る。このことは、最終的に、二次開口に沿った流速のプロファイルに良い効果を有する。
【００１５】
さらなる実施形態において、二次開口が、平鋼製品を含む帯に向けられ、二次開口が、２５ｃｍ未満、好ましくは１５ｃｍ未満、特に好ましくは１０ｃｍ未満だけ帯から離間されることが実現される。詳細には、帯は、進行方向に沿ってノズル装置を通り過ぎ、二次開口（好ましくは、そのガス誘導システムを有する）は、流出するガスまたはガス混合物が帯に対して本質的に垂直に延びる流れ方向を有するように配置される。距離の低減は、好適には、平鋼製品の表面に到達するガスの割合の増加を可能にし、これにより、所望の表面処理（例えば、窒化または炭化）を保証する。例えば窒化または炭化に関してこの割合が大きければ大きいほど、強度は高くなる。なお、このとき、生産される平鋼製品の膨張能力は大幅には損なわれない。詳細には、この結果、強度の損失のリスクなしに平鋼製品の厚さを低減することが可能である。したがって、最終的に、平鋼製品から生産される製品の生産に使用される材料の量を低減することが可能である。
【００１６】
さらなる実施形態において、二次開口が、本質的に帯の幅にわたって延在し、帯の幅が、帯の進行方向に対して本質的に垂直に沿って延びることが実現される。空間的に均一な流れプロファイルは、生産される平鋼製品がその幅に沿って可能な限り一様に表面処理されることを保証することを可能にする。このことは、好適には、生産された平鋼製品の幅に沿って強度の変動がある状況を回避する。
【００１７】
さらに好ましい実施形態において、ノズル装置を通って流れるガスが、アンモニアならびに可能ならば窒素および／または不活性ガスを含むことが実現される。窒素および／または不活性ガスの使用は、好適には、ガスのパルスを増大させ、これにより、帯によって伴われる境界層に浸透することができ、アンモニアと帯（すなわち、平鋼製品）との直接反応が可能となる。
【００１８】
さらなる実施形態において、ノズル装置が、アンモニア、窒素および／または不活性ガスとを混合するための固定されたミキサを備え、配管システムが、前方の内側チューブに向けてガスを誘導することが実現される。このことは、直截的な複雑でない方法で二次開口の全幅にわたって一定の均一なガス混合物を実現することを可能にする。
【００１９】
さらなる実施形態において、配管システムが、追加の内側チューブにガスを供給し、追加の内側チューブが、追加の外側チューブにガスを誘導するための追加の一次開口を備え、追加の外側チューブが、追加の内側チューブを少なくとも部分的に収容し、外側チューブが、ノズル装置から平鋼製品の方向に流出するガスのための追加の二次開口を備えることが実現される。ここでは、帯が、追加の二次開口が帯の経路の異なる位置に配置されるように例えば方向転換ローラを通って搬送されることが考えられる。
【００２０】
さらなる実施形態において、二次開口を通って出るガスが、平鋼製品の第１の面を窒化し、追加の二次開口から流出するガスが、平鋼製品の第２の面を窒化することが実現される。このように、平鋼製品は、好適には両方の面において表面処理されてもよい。
【００２１】
さらなる実施形態において、ノズル装置が、アンモニア、窒素、および／または不活性ガスを固定されたミキサに供給するための供給管システムを備え、供給管システムが、個々のガスならびに／またはアンモニア、窒素、および／もしくは不活性ガスから構成されるガス混合物の体積流量を測定および／または制御するためのそれぞれの手段を備えることが実現される。測定手段および制御手段の助けを借りて、好適には、ガスまたはガス混合物の量および／または組成を制御し、これを、成功する窒化に最適な要求に適合させることが可能である。
【００２２】
さらなる実施形態において、ノズル装置が、鋼製品の熱処理のための連続加熱炉に配置されることが実現される。
【００２３】
本発明は、鋼製品の熱処理のための連続加熱炉における鋼帯の表面処理のための方法であって、加熱炉が、本発明に係るノズル装置を有する方法にさらに関する。このようなノズル装置は、従来技術から知られるものよりも効果的な表面処理を受ける平鋼製品の実現を可能にする。
【００２４】
本発明のさらなる実施形態において、第１のステップにおいて、ガスが、内側チューブに供給され、第２のステップにおいて、ガスが、一次開口を通って外側チューブに誘導され、第３のステップにおいて、ガスが、二次開口を通ってノズル装置の外側チューブから流出して、平鋼製品を窒化する処理ことが実現される。このようにして、好適には、例えば窒化または炭化の効果および結果的な強度の向上がより薄い平鋼製品の生産を可能にする方法を提供することが可能である。使用される材料の量の結果的な低減は、好ましくは、平鋼製品からの製品の大量生産において大幅な生産コストの節約をもたらす。
【００２５】
本発明のさらなる詳細、特徴、および利点は、図面および図面を参照する、好ましい実施形態の以下の説明から得られ得る。図面は、ここでは、本発明の概念を限定しない、本発明の例示的な実施形態を示しているに過ぎない。
【図面の簡単な説明】
【００２６】
【図１】本発明の第１の例示的な実施形態に係るノズル装置を示している。
【図２】本発明の第２の例示的な実施形態に係るノズル装置の斜視図を示している。
【図３】本発明の第２の例示的な実施形態に係るノズル装置の２つの異なる平面図を示している。
【図４】本発明の第２の例示的な実施形態に係るノズル装置の断面図を示している。
【発明を実施するための形態】
【００２７】
同じ部分には、様々な図において同じ参照符号が常に与えられ、したがって、概して、同じ部分のそれぞれもやはり、一度しか参照または言及されない。
【００２８】
図１は、本発明の第１の例示的な実施形態に係る、平鋼製品３の処理または表面処理のためのノズル装置１０を示している。このようなノズル装置１０は、好ましくは、連続加熱炉であって、これを通って平鋼製品が帯３３の形態で、すなわち、鋼帯の形態で運ばれる連続加熱炉の一部をなす構成部分である。連続加熱炉では、材料改善目的で、平鋼製品は、熱処理であって、ガスまたはガス混合物が（例えば窒化目的で）平鋼製品に供給される熱処理を受ける。例えば、少なくとも平鋼製品の再結晶温度が、連続加熱炉内に行き渡る。その例えば窒化または炭化は、平鋼製品の強度の向上を、その膨張能力に相当程度の影響を与えることなく可能にする。完成製品によって満たされるべき強度関連の要求が同じままの場合、より薄い平鋼製品３を実現することが可能である。このとき、使用される材料の量の結果的な低減は、大幅なコストの節約をもたらし得る。
【００２９】
表面処理（例えば、窒化または炭化）によって品質を改善する際の決定的な要因は、ガスが平鋼製品３３に供給される方法であって、ガス供給量が本質的にノズル装置１０によって決定される方法である。ノズル装置１０に関して、ここでは、表面処理（例えば、窒化）目的でノズル装置１０を通って誘導されるガスが最初にノズル装置１０の内側チューブ１に供給されることが実現される。ガスは、内側チューブ１の一次開口１１を介して内側チューブ１から出て行き、少なくとも部分的に内側チューブ１を収容する外側チューブ２に供給される。次に、そこから、ガスは、二次開口１２を介してノズル装置１０から出て行く。一次開口１１および二次開口１２は、ここでは、流通の方向（本質的に内側チューブ１および外側チューブ２の（断面に沿って延びる）外周によって決定される）に沿って互いにずらされる。詳細には、一次開口１１は、二次開口１２に対して例えば９０°だけずらされる。好ましくは、ここでは、一次開口１１および二次開口１２がノズル装置１０の接続領域に配置されることが実現される。詳細には、二次開口１２は、少なくとも部分的に一次開口１１を収容する、外側チューブ２の部分に配置される。ここでは、二次開口１２が帯３３（すなわち、平鋼製品）に向けられることも実現される。一次開口１１および二次開口１２の互いの配置は、好適には、（内側チューブ１が存在しない場合に予想されるように）ガスが二次開口１２（出口開口としての役割を果たす）から非対称に流れ出て、ガスが二次開口１２に沿っておよび帯３３の幅にわたって異なる温度を有し、結局のところ二次開口１２からの出口速度が異なる状況を防止する。その代わりに、内側チューブ１の一次開口１１および外側チューブ２の二次開口１２を有するノズル装置１０は、二次開口１２および帯３３の幅にわたって均一な（すなわち、一様かつ均等な）、ガスの出口挙動の実現を可能にする。このように、ノズル装置１０から平鋼製品３へのガスの供給が改善される。二次開口１２の幅が少なくとも帯３３と同程度であることも実現される。二次開口１２は、ここでは、その最も長い面が帯３３の搬送方向に対して本質的に垂直に延びるように帯に向けられる。
【００３０】
ここでは、二次開口１２がガス誘導システム５を備えることも実現される。ガス誘導システム５は、ここでは、二次開口１２から流出するガスまたはガス混合物を方向付け、これにより、ノズル装置１０から流れ出るガスを特定の方法で平鋼製品に当てる役割を果たす。ガス誘導システム５は、好ましくは、互いに向かって延びて嘴状の開口を形成する、外側チューブ２の２つの領域を有する。互いに向かって延びる、外側チューブの２つの領域間のスリットが、ここでは二次開口１２を形成する。内側チューブ１および外側チューブ２に加えて、本質的に同一の、追加の一次開口１１’を有する追加の内側チューブ１’、および、同様に本質的に同一の、追加の二次開口１２’を有する追加の外側チューブ２’もまた実現される。追加の二次開口１２’および追加の一次開口１１’から構成されるこの第２の配置の助けを借りて、好適には、例えば、二次開口１２から流出するガスによって平鋼製品の第１の面を窒化し、同様に、追加の二次開口１２’を通って出るガスによって平鋼製品の第２の面を窒化し、この結果として、好適には、平鋼製品の両方の面が、例えば窒化されることが可能である。このような両方の面の窒化の場合、平鋼製品は、好ましくは方向転換ローラ３１を通って案内され、その場合、追加の二次開口１２’および二次開口１２は、平鋼製品の搬送方向に沿って空間的に分離される。
【００３１】
ここでは、ガスが管システム１４を介して静的ミキサ１８から内側チューブ１および／または追加の内側チューブ１’に供給されることも実現される。平鋼製品を窒化するためのアンモニアが、好ましくは、静的ミキサ１８において、窒素および／または不活性ガスから作られたガス混合物と混合される。窒素および不活性ガスの添加は、帯表面によって伴われる境界層に結果として浸透し得るより大きなガスのパルスを確保することによって窒化を改善する。このことは、平鋼製品とアンモニアとの間の即時反応の実現を可能にし、結局のところ、より効果的な窒化をもたらし、したがって、窒化された平鋼製品の品質をさらに改善する。
【００３２】
ここでは、アンモニア、窒素、および／または不活性ガスが供給管システム１３を介して静的ミキサ１８に供給されることも実現される。不活性ガスは、好ましくは、水素／窒素の混合物を含む。特に制御されたガスの供給に関して、ここでは、貫流が、体積流量を測定するための手段１７または流量計によって監視されることが実現される。詳細には、ノズル装置１０は、静的ミキサに供給される各ガスの体積流量および量を制御するための手段も備える。例えば、このような手段は、供給管システム１３に組み込まれる弁１６である。このように、二次開口１２または追加の二次開口１２’における物質組成が、好適には直截的かつ直接的な方法でそれぞれの窒化工程にとって望ましい組成量または計測量に適合されることが可能である。ここでは、ノズル装置１０が第１のリザーバ２１（例えば、アンモニア用の）および第２のリザーバ２２（例えば、窒素用の）からガスを得ることが実現される。図示の両方のノズル装置を通る同一の体積流量を確保するために、管路は、静的ミキサの下流において同一に／対称に置かれる。したがって、２つの枝路における圧力損失は同一であり、これにより、帯の両方の面に対して同一のパルスが達成される。代替例として、同一のパルスを達成するために調整装置（図示せず）を取り付けることも可能である。
【００３３】
図２は、本発明の第２の例示的な実施形態に係るノズル装置１０の斜視図を示している。図の左側の部分に見ることができるのが、本質的に外側チューブ２であり、一方、右側では、外側チューブ２は、図において外側チューブ２内に内側チューブ１を見ることが可能なように透視状態で示されている。好ましくは、内側チューブ１および外側チューブ２が同軸に配置されることが実現される。しかしながら、代替的な実施形態において、内側チューブ１が、外側チューブ２内で中心軸線Ｂからずらされることも考えられる。例えば、内側チューブ１は、外側チューブ２内の、二次開口１２の反対側に位置する領域に配置されてもよい。一次開口１１を有する内側チューブ１および二次開口１２を有する外側チューブ２が、管システム１４（この一方の端部にはガスまたはガス混合物が供給される）の端部に配置されることも実現される。ガスは、ここでは、例えば、内側チューブ１の互いに反対側の領域に対をなして配置された４つの一次開口（さらには、好ましくは対称に配置された一次開口（図示せず））を介して内側チューブ１から出て行く。一次開口１１の対は、ここでは、いずれの場合も流通の方向で見た場合に二次開口１２に対して例えば９０°だけずらされる。一次開口１１の出口面の合計（または全体としてのその出口面）が、二次開口１２の出口面より小さいことも実現される。出口面は、ガスが内側チューブ１から外側チューブ２に通って供給される面またはガスがノズル装置１０から通って出て行く面であると理解されるべきである。ガスまたはガス混合物の流れ方向が、ガス誘導システム５の助けを借りて特定の方法で平鋼製品に向けられることも実現される。この目的のために、ガス誘導システム５は、好ましくは、外側チューブ２の２つの延在部２３を有し、前記延在部間の距離は、二次開口２から流出するガスの流れ方向Ａと平行に延びる方向に沿って次第に小さくなる。ここでは、延在部２３が直線状または曲線状であることが可能である。
【００３４】
図３は、本発明の第２の例示的な実施形態に係るノズル装置１０の２つの異なる平面図を示している。平面図において、図の上の方の部分は、一次開口１１の出口面を示しており、図の下の方の部分は、二次開口１２を示している。複数の一次開口１１（または１つの一次開口１１）は、好ましくは、二次開口の中央に置かれる（外側チューブおよび内側チューブによって決定される長手方向に関して見た場合に）。二次開口１２の中心点のここでの（長手方向に対して垂直に延びる方向で見た場合の）投影は、２つの一次開口１１間の中心に配置される、内側チューブ１２の領域と本質的に一致する。長手方向に沿った２つの一次開口１１間の距離が、長手方向に沿った二次開口１２の範囲よりも小さいことも実現される。詳細には、ガス誘導システム５は、二次開口１２の全範囲にわたって延びる。ガスまたはガス混合物の流れ方向が、一次開口１１および二次開口１２の配置の結果として本質的に例えば９０°だけ方向転換されることも実現される。
【００３５】
図４は、本発明の第２の例示的な実施形態に係るノズル装置１０の断面を示している。ここでは、二次開口１２が、２つの仮想平面２４であって、それぞれ少なくとも１つの一次開口１１を含む２つの仮想平面２４間に配置されることが実現される。二次開口１２は、好ましくは、これらの２つの仮想平面間の中央に配置される。二次開口１２のスリット幅２５が、互いに向かって延びる、ガス誘導システム５の延在部２３によって決定されることも実現される。スリット幅２５は、好ましくは、長手方向に対して垂直に延びる方向に沿った内側チューブ１の範囲よりも小さい。詳細には、スリット幅２５は、８ｍｍよりも小さく、好ましくは６ｍｍよりも小さく、特に好ましくは４ｍｍよりも小さい。ガス誘導システム５の延在部２３が、好ましくは、少なくとも部分的に外側チューブ２と同じ材料から生産されることも実現される。例えば、内側チューブ１が、外側チューブ２によって画成される設置空間の４５％未満、好ましくは４０％未満、特に好ましくは３５％未満を占めるその断面（長手方向に対して垂直に延びる方向に沿った）を有することが実現される。例えば、外側チューブ２の内径が３００ｍｍ未満、好ましくは２８０ｍｍ未満、特に好ましくは２６０ｍｍ未満であることおよび内側チューブ１の内径が１００ｍｍ未満、好ましくは９０ｍｍ未満であることが実現される。
【符号の説明】
【００３６】
１  内側チューブ
１’  追加の内側チューブ
２  外側チューブ
２’  追加の外側チューブ
３  平鋼製品
５  ガス誘導システム
１０  ノズル装置
１１  一次開口
１１’  追加の一次開口
１２  二次開口
１２’  追加の二次開口
１３  供給管システム
１４  配管システム
１６  弁
１７  体積流量を測定するための手段
１８  固定されたミキサ
２１  第１のリザーバ
２２  第２のリザーバ
２３  延在部
２４  仮想平面
２５  スリット幅
３１  方向転換ローラ
３３  帯／平鋼製品
Ａ  流れ方向
Ｂ  中心軸線
【図１】
0006608846.tif 000002
【図２】
0006608846.tif 000003
【図３】
0006608846.tif 000004
【図４】
0006608846.tif 000005